(57)【要約】【課題】簡単なやり方で瞬時に、動画を静止させ、簡単な動作で静止画を記録することのできるカメラおよびカメラの制御方法を提供する。【解決手段】被写体像を動画で表示する表示部８ａと、表示部８ａの前面に設けられたタッチパネル６ｂを有し、タッチパネル６ｂ上へのタッチを検知した際に、表示部８ａに表示している動画の動きを停止させ静止画を生成し、さらにタッチパネル６ｂ上でタッチ操作が移動しているに場合には、静止画の縮小画像をサムネイル８ａａに表示すると共に、静止画を記録部４に記録する。【選択図】  図9
2010206367.tif 000002
【特許請求の範囲】
【請求項１】
被写体像を動画で表示する第１の表示部と、
上記第１表示部の前面に設けられたタッチパネルと、
上記タッチパネル上へのタッチ操作を検知した際に、上記第１の表示部に表示している動画の動きを停止させ静止画を生成し、さらに上記タッチパネル上でタッチ操作が移動しているに場合には、上記静止画を記録する制御部と、
を有することを特徴とするカメラ。
【請求項２】
上記制御部によって停止された際の上記静止画像を表示する第２の表示部を有することを特徴とする請求項１に記載のカメラ。
【請求項３】
上記第１および第２の表示部はそれぞれ異なる画面を有することを特徴とする請求項２に記載のカメラ。
【請求項４】
上記第１および第２の表示部は、同一画面内に設けられていることを特徴とする請求項２に記載のカメラ。
【請求項５】
上記静止画を表示するための第２の表示部は、縮小画像用の表示部であることを特徴とする請求項４に記載のカメラ。
【請求項６】
上記タッチパネルによって、上記タッチ操作が移動していることを検知すると、上記第１の表示部に表示していた静止画を、上記第２の表示部に移動して表示することを特徴とする請求項２に記載のカメラ。
【請求項７】
被写体像を動画で表示する第１の表示部と、
上記第１表示部の前面に設けられたタッチパネルと、
上記タッチパネル上への操作を検知した際に、上記第１の表示部に表示している動画の動きを停止させる制御部と、
を有することを特徴とするカメラ。
【請求項８】
上記タッチパネル上のスライド操作を検知した際に、上記第１の表示部に表示している動画から切り出した静止画を第２の表示部に表示することを特徴とする請求項７に記載のカメラ。
【請求項９】
被写体像を動画で第１の表示部に表示し、
上記第１表示部の前面をタッチされたことを検知した際に、上記第１の表示部に表示している動画の動きを停止させ静止画を生成し、
上記静止画の生成後、さらにタッチ状態が移動しているに場合には、上記静止画を記録する、
ことを特徴とするカメラの制御方法。
【発明の詳細な説明】
【技術分野】
【０００１】
本発明は、カメラおよびカメラの制御方法に関し、詳しくは、動画撮影時に静止画を簡単に記録することのできるカメラおよびカメラの制御方法に関する。
【背景技術】
【０００２】
近年、デジタル写真などを記録する記録装置の大容量化、小型化が進んできており、また、静止画と共に動画の記録を行うことができるようになってきた。ユーザは、動画で撮影を望む場合には、メニューモードや切り替え釦等を操作して動画モードに切り替えてから撮影を開始している。
【０００３】
また、操作釦に代えてタッチパネルを設け、表示画面上をタッチすることにより、操作指示を与えるようにしたカメラも提案されている。例えば、特許文献１には、タッチしている間の時間等に応じて第１の操作と第２の操作であるかを判定し、第１の操作であった場合にはサムネイル画像にチェックマークを付加し、第２の操作であった場合には、サムネイル画像に対応するチャプタの動画を再生するにしたデジタルビデオカメラが開示されている。
【先行技術文献】
【特許文献】
【０００４】
【特許文献１】特開２００６−１７２１１６号公報
【発明の概要】
【発明が解決しようとする課題】
【０００５】
動画撮影時に静止画撮影に切り換えにあたって、小さなスイッチを探して操作するなど、面倒であると共に注意深く操作しなければならず、また瞬時に直感的に切り換えることはできなかった。一方、特許文献１には、タッチの状態に応じて処理内容を変更するカメラは提案されている。しかし、動画を静止させ、簡単な動作で静止画を記録することのできるカメラは提案されていない。
【０００６】
本発明は、このような事情を鑑みてなされたものであり、簡単なやり方で瞬時に、動画を静止させ、簡単な動作で静止画を記録することのできるカメラおよびカメラの制御方法を提供することを目的とする。
【課題を解決するための手段】
【０００７】
上記目的を達成するため第１の発明に係わるカメラは、被写体像を動画で表示する第１の表示部と、上記第１表示部の前面に設けられたタッチパネルと、上記タッチパネル上へのタッチ操作を検知した際に、上記第１の表示部に表示している動画の動きを停止させ静止画を生成し、さらに上記タッチパネル上でタッチ操作が移動しているに場合には、上記静止画を記録する制御部と、を有する。
【０００８】
第２の発明に係わるカメラは、上記第１の発明において、上記制御部によって停止された際の上記静止画像を表示する第２の表示部を有する。
第３の発明に係わるカメラは、上記第２の発明において、上記第１および第２の表示部はそれぞれ異なる画面を有する。
【０００９】
第４の発明に係わるカメラは、上記第２の発明において、上記第１および第２の表示部は、同一画面内に設けられている。
第５の発明に係わるカメラは、上記第４の発明において、上記静止画を表示するための第２の表示部は、縮小画像用の表示部である。
【００１０】
第６の発明に係わるカメラは、上記第２の発明において、上記タッチパネルによって、上記タッチ操作が移動していることを検知すると、上記第１の表示部に表示していた静止画を、上記第２の表示部に移動して表示する。
【００１１】
第７の発明に係わるカメラは、被写体像を動画で表示する第１の表示部と、上記第１表示部の前面に設けられたタッチパネルと、上記タッチパネル上への操作を検知した際に、上記第１の表示部に表示している動画の動きを停止させる制御部と、を有する。
【００１２】
第８の発明に係わるカメラは、上記第７の発明において、上記タッチパネル上のスライド操作を検知した際に、上記第１の表示部に表示している動画から切り出した静止画を第２の表示部に表示する。
【００１３】
第９の発明に係わるカメラの制御方法は、被写体像を動画で第１の表示部に表示し、上記第１表示部の前面をタッチされたことを検知した際に、上記第１の表示部に表示している動画の動きを停止させ静止画を生成し、上記静止画の生成後、さらにタッチ状態が移動しているに場合には、上記静止画を記録する。
【発明の効果】
【００１４】
本発明によれば、簡単なやり方で瞬時に、動画を静止させ、確認したうえで静止画を記録することのできるカメラおよびカメラの制御方法を提供することができる。
【図面の簡単な説明】
【００１５】
【図１】本発明の第１実施形態に係わるカメラの構成を示すブロック図である。
【図２】本発明の第１実施形態に係わるカメラのスライド機構を説明するための図であり、（ａ）はカメラの長手方向と直交する方向に沿っての要部断面図であり、（ｂ）はカメラ本体１０ａからスライド部１０ｂを離間した引出状態において背面側からみた一部透視図であり、（ｃ）はカメラ本体１０ａ上にスライド部１０ｂを重ねた収納状態において背面側から見た一部透視図である。
【図３】本発明の第１実施形態に係わるカメラにおいて、使用状態を示す図であり、（ａ）はスライド部をスライドさせた状態で、正面側から見た外観斜視図であり、（ｂ）は（ａ）の状態において背面側から見た外観斜視図であり、（ｃ）は本体に対してスライド部を閉じた状態で背面側から見た外観斜視図である。
【図４】本発明の第１実施形態に係わるカメラにおいて、動画表示状態において静止画撮影を行う様子を示す図である。
【図５】本発明の第１実施形態におけるカメラにおいて、スライド部の変形例を示す背面側から見た外観斜視図である。
【図６】本発明の第１実施形態におけるカメラにおいて、カメラ制御の動作を示すフローチャートである。
【図７】本発明の第１実施形態におけるカメラにおいて、動画再生の動作を示すフローチャートである。
【図８】本発明の第１実施形態におけるカメラにおいて、動画再生の動作の変形例を示すフローチャートである。
【図９】本発明の第２実施形態に係わるカメラにおいて、使用方法を示す図であって、（ａ）〜（ｃ）は背面側から見た外観斜視図であり、（ｄ）（ｅ）は表示部での表示状態を示す。
【図１０】本発明の第２実施形態におけるカメラにおいて、カメラ制御の動作を示すフローチャートである。
【図１１】本発明の第２実施形態におけるカメラにおいて、動画撮影の動作を示すフローチャートである。
【発明を実施するための形態】
【００１６】
以下、図面に従って本発明を適用したデジタルカメラを用いて好ましい実施形態について説明する。図１は、本発明の第１実施形態に係わるカメラ１０の構成を示すブロック図である。このカメラ１０は、カメラ本体１０ａとスライド部１０ｂから構成され、カメラ本体１０ａは、画像処理及び制御部１、撮像部２、撮影レンズ２ａ、表示制御部３、記録部４、ストロボ部５、操作判定部６、タッチパネル６ｂ、動き判定部７、第１の表示部としての表示部８ａ、および時計部９から構成されている。また、スライド部１０ｂは、カメラ本体１０ａに対して摺動自在であり、スライド部１０ｂ内には第２の表示部としての表示部８ｂが配置されている。
【００１７】
撮像部２は撮影レンズ２ａや、シャッタ等の露出制御部、撮像素子、撮像素子の駆動及び読出回路等を含み、撮影レンズによって形成された被写体像を撮像素子によって画像データに変換する。また、撮像部２は、画像データを静止画用および動画画像用のデータを出力可能である。
【００１８】
画像処理及び制御部１は、記憶されているプログラムに従ってカメラ１０の全体のシーケンスを制御する。また、撮像部２から出力される画像信号を取り込み、間引き処理、エッジ強調、色補正、動画画像処理、画像圧縮等の種々の画像処理を行い、ライブビュー表示、記録部４への記録、再生表示等のための画像処理を行う。画像処理及び制御部１内には、表示制御部３が設けられており、後述する表示部８ａおよび表示部８ｂにおける表示を制御する。
【００１９】
記録部４は、撮像部２から出力され、画像処理および制御部１で画像処理された静止画および動画の画像データの記録を行う。撮影時には、動画を撮影し、またユーザの指定するタイミングで静止画も撮影可能であり、記録部４は撮影状態に応じて動画と静止画の両方の画像データを記録できる。また、記録にあたっては、後述する時計部９から出力される日時情報に基づく撮影日時情報等も静止画および動画の両方に画像データと併せて記録する。動画の場合には、フレームごとに撮影日時情報を記録する。これによって静止画および動画について、日時情報を用いて画像検索を行うことが可能となり、特に動画の場合には、フレーム検索が簡単にできる。
【００２０】
操作判定部６はレリーズ釦６ａ（図３、図４参照）、メニュー釦、再生釦、動画再生終了釦等の操作部材の操作状態を判定し、判定結果は、画像処理及び制御部１に送信する。前述の画像処理及び制御部１は、操作判定部６による判定結果に応じてカメラ１０の制御を行う。動き判定部７は、磁石および磁気センサ等の位置検出センサを含み、カメラ本体１０ａに対するスライド部１０ｂの動きを検出する。なお、動き判定部７は、磁石と磁気センサの組み合わせ以外にも、例えば、機械的スイッチでも良く、また発光源と光センサの組み合わせ等、カメラ本体１０ａとスライド部１０ｂの相対的位置関係を検出できるものであれば構わない。この動き判定部７による判定結果は、操作判定部６に送られ、スライド部１０ｂの操作の判定に使用する。
【００２１】
時計部９は、日時情報を出力する。この日時情報は前述したように画像データを記録部４に記録する際に併せて記録される。ストロボ部５は、カメラ本体１０ａの正面側に配置されており、被写体に対して補助光を照明する内蔵の補助照明装置である。
【００２２】
第１の表示部としての表示部８ａは、液晶モニタ等の表示パネルを有し、カメラ本体１０ａの背面に配置されている。後述するスライド部１０ｂがカメラ本体１０ａを覆う位置にある収納状態においては、表示部８ａはスライド部１０ｂによって覆われ、露呈しない。表示部８ａが露呈する状態においては、表示部８ａはライブビュー表示および動画撮影時の撮影画像を表示する。また再生時には、この表示部８ａは、記録部４に記録されている動画のサムネイルやインデックスを表示する。
【００２３】
タッチパネル６ｂは、表示部８ａの前面側に配置されている。カメラ本体１０ａ上の表示部８ａは、スライド部１０ｂをスライドさせた状態であっても、カメラを持ちながら操作しやすいことから、タッチパネル６ｂが表示部８ａの前面に設けられている。タッチパネル６ｂは透明であり、表示部８ａでの表示画像を、タッチパネル６ｂを通して観察することができる。ユーザが指等でタッチパネル６ｂの表面をタッチすると、タッチした位置を示す信号が画像処理及び制御部１に送信される。タッチパネル６ｂは、表示されているデータに直接触れることによって、いわゆるタンジブルな性格を有し、デジタルデータを、直感的、触感的に扱う際に、効果を奏する。後述するように、動画撮影モードに設定されている際に、タッチすることにより、その時点で静止画を固定し、また、表示部８ａの表示面を指等でスライドさせることにより、静止画を記録することができる。
【００２４】
スライド部１０ｂはカメラ本体１０ａに対して摺動可能であり、スライド部１０ｂをカメラ本体１０ａ上に重ねた収納状態と、スライド部１０ｂがカメラ本体１０ａから離間された引出状態の２つの状態に移動可能である。第２の表示部としての表示部８ｂは、スライド部１０ｂの背面に配置されており、液晶モニタ等の表示パネルを有している。
【００２５】
スライド部１０ｂが収納状態の場合には、表示部８ａはスライド部１０ｂによって覆われ、表示部８ｂのみが露呈する。また、スライド部１０ｂをカメラ本体１０ａから離間させ引出状態とすると、表示部８ａおよび表示部８ｂの両方が露呈状態となる。
【００２６】
表示部８ｂは、収納状態においては、通常の静止画撮影用の画面として機能し、ライブビュー表示を行い、また、再生時には静止画表示を行う。また、表示部８ｂは、引出状態においては、静止画撮影用の画面として機能し、動画撮影が行われている際に、表示部８ａの画面がタッチされ、さらに、撮影者が指等を画面上でスライドすると、表示部８ｂに記録静止画が表示される。
【００２７】
次に、カメラ本体１０ａとスライド部１０ｂからなるカメラ１０の構造について図２を用いて説明する。図２（ａ）はカメラ１０の長手方向と直交する方向に沿っての要部断面図であり、図２（ｂ）はカメラ本体１０ａからスライド部１０ｂを離間した引出状態において背面側からみた一部透視図であり、図２（ｃ）はスライド部１０ｂをカメラ本体１０ａ上に重ねた収納状態において背面側から見た一部透視図である。
【００２８】
スライド部１０ｂのレール１１は、カメラ本体１０ａの溝部１２に嵌合しており、このためスライド部１０ｂはカメラ本体１０ａに摺動自在に支持されている。スライド部１０ｂの摺動範囲は留め金によって規制されており、スライド部１０ｂがカメラ本体１０ａから外れることはない。カメラ本体１０ａには、撮影レンズ２ａが本体の片側（正面側）に配置されており、また撮影レンズ２と反対側（背面側）には表示部８ａが配置されている。
【００２９】
また、カメラ本体１０ａであって、スライド部１０ｂの摺動通路上に、動き判定部７を構成する磁気センサ７ａ、７ｂが配置されている。また、スライド部１０ｂであって、磁気センサ７ａ、７ｂの摺動通路上には磁石７ｃが固定されている。磁気センサ７ａ、７ｂによって、磁石７ｃの磁気を検出することにより、スライド部１０ｂが引出状態の方向に移動しているか（開いているか）、またスライド部１０ｂが収納状態の方向に移動しているか（閉じているか）を判定することができる。
【００３０】
引出状態でカメラ１０を背面側から見ると、図２（ｂ）に示すように、２つの表示部８ａ、８ｂが並んでおり、一方、収納状態では、図２（ｃ）に示すように、スライド部１０ｂがカメラ本体１０ａ上に重なって、表示部８ｂのみが見える。また、引出状態では、表示部８ａ上に配置されたタッチパネル６ｂも露呈されることから、ユーザによるタッチ操作が可能となる。
【００３１】
図３は、本実施形態におけるカメラの使用状態を示す図であり、図３（ａ）（ｂ）はカメラ本体１０ａからスライド部１０ｂを摺動させ引出状態にした様子であり、また、（ｃ）はカメラ本体１０ａにスライド部１０ｂを重ねた収納状態にした様子を示す。通常の静止画撮影は、図３（ｃ）に示す収納状態で行い、動画撮影は、図３（ａ）（ｂ）に示す引出状態で行う。カメラ本体１０ａの正面には、図３（ａ）に示すように、撮影レンズ２ａおよびストロボ部５が配置され、これらは収納状態であっても引出状態であっても使用可能である。また、カメラ本体１０ａの上面にはレリーズ釦６ａが配置されている。
【００３２】
図３（ｃ）に示す収納状態では、通常のカメラと同様に、カメラ１０の背面側に配置された表示部８ｂに、ライブビュー表示が行われる。撮影者はライブビュー表示に基づいて構図の設定を行い、構図が決まると、レリーズ釦６ａを操作することにより、静止画撮影を行うことができる。レリーズ操作後、所定時間の間、表示部８ｂには、静止画が表示される。
【００３３】
図３（ｂ）に示す引出状態では、カメラ１０の背面側に２つの表示部８ａ、８ｂが並んで露呈している。この状態では、表示部８ａを動画用の画面とし、表示部８ｂを静止画用の画面とする。すなわち、動画モードにおいては、図４に示すように、表示部８ａにライブビュー表示を行い、撮影者がレリーズ釦６ａを操作すると動画の撮影を開始し、このときの動画は表示部８ａに表示される。
【００３４】
動画表示中に、撮影者が指等で表示部８ａをタッチすると画像が固定され、表示部８ａに静止画が表示される。静止画が表示されている状態で、図４に示すように、指等をそのまま表示部８ａの表面でスライドさせると、静止画の画像データが記録される。また同時に第２の表示部としての表示部８ｂに、撮影画像を縮小したインデックス８ｂａが表示される。表示部８ｂにインデックス表示がなされ指等が表示部８ａから離れると、表示部８ａに動画が表示される。動画撮影中に、再び、レリーズ釦６ａが操作されると、動画撮影を終了する。
【００３５】
このように、本実施形態においては、タッチすることにより、動画の一瞬が押さえられたという直感的なインターフェースになり、さらに、この静止画を指等で表示部８ｂの方向に移動させることによって、記録するという直感的なインターフェースにもなる。このとき、記録された静止画は表示部８ｂにインデックス表示されることから、ユーザに記録されたという安心感を与えることができる。なお、指以外にもタッチペン等、表示画面をタッチできるものであれば良い。この場合、必ずしも表示面を押圧していなくても良く、表示面に接近したことを検知するものでも良い。また、ここでスライドは、指等でタッチした状態のままで移動することを言う。
【００３６】
また、本実施形態においては、スライド部１０ｂをカメラ本体１０ａに重ね収納状態とすると、静止画モードとなり、第２の表示部としての表示部８ｂが静止画撮影用として機能する。また、スライド部１０ｂをカメラ本体１０ａからスライドし引出状態とすると、動画モードとなり、第１の表示部としての表示部８ａは動画表示用、第２の表示部としての表示部８ｂは静止画表示用として機能する。
【００３７】
言い換えると、本実施形態においては、スライド部１０ｂの開閉機能を利用して、静止画撮影モードと動画撮影モードの切り換えを行っている。このため、静止画はスライド部１０ｂを収納状態のまま、つまり、通常のカメラ１０の携帯時の形態のままで撮影できることから、直ちに静止画撮影を行うことができ、決定的瞬間を逃すことがない。一方、動画撮影も、スライド部１０ｂを引き出すだけであるので、とっさの撮影も可能であるが、静止画撮影の場合と比較し、被写体の動きを楽しむのが主であり、また速写性もそれほど要請されていないので、引出状態での撮影で十分といえる。
【００３８】
なお、本実施形態は、カメラ本体１０ａの長手方向と直交する方向にスライドしているが、これに限らず、図５に示すように、長手方向に沿ってスライドするようにしても、勿論かまわない。また、カメラ本体１０ａとスライド部１０ｂが摺動する以外にも、カメラ本体１０ａと表示部８ｂを備えた第２の表示体をヒンジ等で連結し、ヒンジを中心に回動自在とし、表示部８ａ、８ｂの両方が露呈する状態と表示部８ｂのみが露呈する状態の切り換えに応じて、動画と静止画の機能分担を行うようにしても良い。
【００３９】
次に、本実施形態の動作について、図６および図７を用いて説明する。図６は、カメラ制御の動作を示すフローチャートであり、カメラ本体１０ａに電源電池が装填されると動作を開始する。
【００４０】
カメラ制御の動作が開始すると、まず、スライド部１０ｂが開いているか否かの判定を行う（Ｓ１００）。ここでは、磁気センサ７ａ、７ｂからの信号に基づいて、カメラ本体１０ａに対してスライド部１０ｂが引き出されているか否かの判定を行う。この判定の結果、開いていなかった場合、すなわち、スライド部１０ｂがカメラ本体１０ａから引き出されていない場合、すなわち収納状態であった場合には、静止画モードに入る。静止画モードでは、図３（ｃ）を用いて前述したように、レリーズ釦６ａが操作されると、撮影が行われ静止画の画像データが記録される。また、静止画の再生も行うことができる。静止画モードの処理を行うと、ステップＳ１００に戻る。
【００４１】
ステップＳ１００における判定の結果、スライド部１０ｂが開いていた場合には、次に、撮影モードか否かの判定を行う（Ｓ１０１）。この判定の結果、撮影モードであれば、スライド部１０ｂが引出状態であることから動画撮影モードとなる。動画撮影モードとなると、第１の表示部としての表示部８ａにライブビュー表示を行う（Ｓ１０２）。ここでは、撮像部２からの画像データに基づいて、表示部８ａに被写体像をライブビュー表示するので、撮影者はこの表示を観察して構図を決めることができる。
【００４２】
続いて、第２の表示部としての表示部８ｂにモード表示を行う（Ｓ１０３）。ここでは、表示部８ｂに、撮影モード、露出制御値、画角等が表示されるので、撮影者はこれらの情報を見ながら、適宜、設定を行う。モード表示を行うと、次に、第１の表示部（第１画面）としての表示部８ａがタッチされたか否かの判定を行う（Ｓ１０４）。ここでは、タッチパネル６ｂからの信号に基づいて、表示部８ａの表示面がタッチされたか否かを判定する。
【００４３】
ステップＳ１０４における判定の結果、タッチされていた場合には、次に、静止画取得を行う（Ｓ１０７）。ここでは、タッチされた瞬間の画像の画像データを取得する。続いて、撮影日時情報と共に静止画の画像データを記録部４に記録する（Ｓ１０８）。なお、静止画像取得時には所定時間の間、記録静止画像を表示部８ｂに表示する。このため、撮影者は、撮影されたか否かをすぐに確認することができる。
【００４４】
ステップＳ１０８において静止画の記録を行うと、またはステップＳ１０４における判定の結果、第１画面（表示部８ａ）をタッチしていなかった場合には、次に、撮影を行うか否かの判定を行う（Ｓ１０５）。ここでは動画撮影モードに設定されていると判定された場合であり、ステップＳ１０５において、レリーズ釦６ａが操作された場合には、動画撮影開始と判定され、再度、レリーズ釦６ａが操作された場合には、動画撮影終了と判定される。撮影開始と判定されると、以後、撮影終了と判定されるまで、ステップＳ１０５ではＹｅｓとして進む。
【００４５】
ステップＳ１０５における判定の結果、撮影であった場合には、動画撮影を行い、先頭静止画を第２画面（表示部８ｂ）に表示する（Ｓ１２１）。ここでは、撮像部２からの画像データを画像処理及び制御部１において画像処理して表示部８ａに動画で表示し、同時に、記録部４に記録する。以後、ステップＳ１０５において撮影終了と判定されるまで、動画の画像データを記録部４に記録し続ける。また、動画撮影開始時の先頭静止画を表示部８ｂに表示すると共に記録部４に記録する。これによって、動画再生時に検索が容易になる。
【００４６】
動画撮影を開始すると、次に、第１画面（表示部８ａ）がタッチされたか否かの判定を行う（Ｓ１２２）。撮影者は、動画撮影時に動画に加えて静止画の記録を行いたい場合には、図３（ａ）（ｂ）および図４を用いて説明したように、表示部８ａの画面をタッチする。このステップでは、タッチパネル６ｂからの信号に基づいて、撮影者がタッチしたか否かを判定する。この判定の結果、第１画面（表示部８ａ）がタッチされていなかった場合には、ステップＳ１００に戻る。
【００４７】
ステップＳ１２２における判定の結果、第１画面（表示部８ａ）がタッチされていた場合には、第１画面（表示部８ａ）の画像を停止する（Ｓ１２３）。表示部８ａには、動画撮影されている画像が表示されているが、撮影者が表示部８ａをタッチした瞬間の画像データを固定する。このときの静止画は表示部８ａに表示されるので、撮影者は意図するタイミングで静止画を撮影することができたか否かを判定することができる。なお、このときも動画の画像データの記録は並行して行われている。
【００４８】
画像を停止すると、次に、撮影者の指等がスライドしたか否かを判定する（Ｓ１２４）。撮影者が静止画を見て意図通りの静止画が得られ、これを記録部４に記録することを望む場合には、タッチした指等を、図４において説明したように、スライドさせる。このステップでは、タッチパネル６ｂからの信号に基づいて、指等がスライド等の動きをしたか否かの判定を行う。
【００４９】
ステップＳ１２４における判定の結果、指等をスライドさせていなかった場合には、動画表示の再開を行う（Ｓ１２５）。ステップＳ１２３において停止した画像が、撮影者の意図したタイミングや構図でなかった場合には、指等をスライドすることなく、画面から離すので、その場合には、ステップＳ１２５において、動画表示を再開させ、ステップＳ１０５に戻る。また、後述するステップＳ１２７において静止画を記録した場合には、記録後に再度ステップＳ１２４の判定を行い、ステップＳ１２５に進み、動画表示の再開を行う。
【００５０】
ステップＳ１２４における判定の結果、指等がスライドしていた場合には、次に、静止画像を取得し、第２画面（表示部８ｂ）に表示する（Ｓ１２６）。前述したように、撮影者がタッチした際には表示部８ａに表示するが、指等をスライドすることにより、静止画は表示部８ａから表示部８ｂに移る。
【００５１】
静止画像の取得を行うと、次に、動画と関連付けて、撮影日時情報と共に記録する（Ｓ１２７）。ここでは、取得した静止画像を記録部４に記録するが、記録の際に、時計部９によって取得した撮影日時情報を記録する。また、動画も記録の際には、フレーム単位で撮影日時情報が記録されることから、静止画と動画が関連付けて記録されることになる。動画と関連付けて静止画を記録すると、ステップＳ１００に戻る。
【００５２】
動画撮影中にレリーズ釦６ａが再度操作され、ステップＳ１０５において、撮影終了と判定されると、撮影終了処理を行い（Ｓ１０６）、終了操作が終わると、ステップＳ１００に戻る。
【００５３】
ステップＳ１０１における判定の結果、撮影モードでなかった場合には、次に、再生モードか否かの判定を行う（Ｓ１１１）。この判定の結果、再生モードでなかった場合には、ステップＳ１００に戻る。一方、再生モードであった場合には、動画再生を行う（Ｓ１１２）。この動画再生においては、記録部４に記録されている動画の再生を行う。この動画再生の詳しい動作については、図７を用いて後述する。動画再生を行うと、ステップＳ１００に戻る。
【００５４】
このように、カメラ制御のフローにおいては、表示部８ａをタッチすることにより、動画を固定して静止画を生成し、この静止画を表示部８ａで確認した後、スライドすることにより、静止画を記録するようにしている。このため、シャッタタイミングや構図を確認した後、記録することができる。また、表示部８ａに表示されていた静止画が、指等でスライドすることにより、静止画表示用の表示部８ｂに移動し、ここに静止画が表示されることから、撮影者は記録されたことを確認することができ、安心感を得ることができる。
【００５５】
さらに、第１画面（表示部８ａ）および第２画面（表示部８ｂ）を露呈させると、動画撮影モードに切り替えることができるので、簡単に、静止画モードと動画モードに切り替えることができる。また、動画モードで動画撮影開始前でも、開始後でも、第１画面（表示部８ａ）をタッチすることにより、静止画を記録することができる。単にタッチするだけで良いことから、瞬時に静止画撮影を行うことができ、撮影タイミングを逃すことがない。さらに、静止画を記録するにあたって、動画のフレームの撮影日時情報とリンクさせるようにしている。このため、動画の再生にあたって、検索を容易にすることができる。
【００５６】
なお、本実施形態においては、動画の撮影前には、タッチした際に直ちに記録を行っているが、これに限らず、ステップＳ１２４〜Ｓ１２７と同様に、指等でスライドした場合に記録を行うようにしても良い。また、動画の撮影後には、タッチしてから指等でスライドした場合に、記録を行うようにしていたが、これに限らず、ステップＳ１０４〜Ｓ１０８と同様に、タッチした際に直ちに記録を行うようにしても良い。
【００５７】
次に、ステップＳ１１２の動画再生について、図７を用いて説明する。この動画再生のフローに入ると、まず、第１画面（表示部８ａ）にサムネイルとインデックス表示を行う（Ｓ１５１）。動画撮影を行う際には、ステップＳ１２１において先頭静止画が記録されており、また、ステップＳ１２７において動画撮影中に撮影された静止画が記録されているので、このステップＳ１５１においては、これらの先頭静止画をサムネイル表示し、また、静止画をインデックス表示する。動画再生は、スライド部１０ｂを引き出した引出状態で行うことから、表示部８ａは露呈されており、サムネイル表示とインデックス表示を、この表示部８ａに行う。
【００５８】
次に、選択されたか否かの判定を行う（Ｓ１５２）。サムネイル表示とインデックス表示を表示部８ａに行っており、これらの画像の中でユーザが見たい画像がある場合には、その画像をタッチする。そこで、このステップでは、タッチパネル６ｂからの信号に基づいて、いずれかの画像がタッチされたか否かの判定を行う。なお、タッチに限らず、カメラ１０に設けられている十字釦等によって画像を選択するようにしても良い。
【００５９】
ステップＳ１５２における判定の結果、何も選択されていなかった場合には、動画再生のフローを終了して、元のフローに戻る。一方、選択された場合には、次に、第２画面（表示部８ｂ）に選択サムネイルまたはインデックスの動画を再生する（Ｓ１５３）。ここでは、選択されたのがサムネイルの場合には、その動画を最初から再生し、また選択されたのがインデックスの場合には、その静止画を撮影した時点から動画を再生する。
【００６０】
動画再生すると、次に、終了か否かの判定を行う（Ｓ１５４）。ここでは、選択された動画が最後まで再生されたか、または、動画再生中にユーザによって動画再生終了釦等の操作部材を操作したか否かを判定する。この判定の結果、終了でなかった場合には、次に、スライド部１０ｂが閉じたか否かの判定を行う（Ｓ１５５）。ここでは、磁気センサ７ａ、７ｂからの信号に基づいて、カメラ本体１０ａに対してスライド部１０ｂが重なるように移動されて収納状態となったか否かの判定を行う。
【００６１】
ステップＳ１５５における判定の結果、閉じられた場合には、第２画面（表示部８ｂ）に選択動画を再生継続する（Ｓ１５６）。ステップＳ１５３において、表示部８ｂにおける動作再生を開始しており、スライド部１０ｂが閉じられて収納状態となっても、そのまま動画再生を続行する。したがって、スライド部１０ｂを閉じて、コンパクトなスタイルになった状態でも再生は継続される。動画の再生を継続すると、ステップＳ１５２に戻る。
【００６２】
一方、ステップＳ１５５における判定の結果、閉じていなかった場合には、次に、タッチされたか否かの判定を行う（Ｓ１５７）。動画再生中に動画の一部を静止画に残したいシーンがある場合には、ユーザは表示部８ａの表示部をタッチするので、このステップにおいては、タッチパネル６ｂによって表示部８ａがタッチされたか否かの判定を行う。
【００６３】
ステップＳ１５７における判定の結果、タッチされていなかった場合には、ステップＳ１５２に戻る。一方、判定の結果、タッチされていた場合には、静止画の記録を行う（Ｓ１５８）。ここでは、タッチされた瞬間の動画の画像データから、静止画用の画像データを生成し、この静止画画像データを記録部４に記録する。静止画記録を行うと、ステップＳ１５２に戻る。
【００６４】
ステップＳ１５２において画像が選択されると、動画の再生が始まり、ステップＳ１５３〜Ｓ１５８を実行する間、動画が再生される。この間、ステップＳ１５４において、動画再生が終了と判定されると、再生終了処理を行う（Ｓ１５９）。再生終了処理を行うと、動画再生の動作を終了して、元のフローに戻る。
【００６５】
このように、本実施形態における動画再生においては、第１の表示部（表示部８ａ）および第２の表示部（表示部８ｂ）を露呈させると、動画再生モードに切り替えることができるので、簡単に、静止画モードと動画モードに切り替えることができる。また、第１の表示部（表示部８ａ）に、サムネイルやインデックス表示を行い、第２の表示部（表示部８ｂ）に動画を再生表示するようにしている。このため、多数の動画が記録されている場合に、容易に目的とする画像を探すことができると共に、画面が整理されているので見やすい。
【００６６】
さらに、動画撮影中に撮影された静止画もインデックス表示で動画選択できるようにしている。このため、動画中の画像を探しやすく、また、その箇所から動画の再生を開始させることができる。さらに、動画の再生中に、静止画として記録することができる。このため、静止画として楽しむことができ、また、動画再生の際のインデックスとしても利用することができる。
【００６７】
なお、本実施形態においては、第１および第２の表示部（表示部８ａ、８ｂ）が露呈している引出状態において、動画再生中に静止画記録を行うことができたが、これに限らず、第２の表示部（表示部８ｂ）の前面にタッチパネルを配置し、収納状態においてもタッチすることにより、静止画の記録を行うようにしても良い。
【００６８】
次に、本発明の第１実施形態の変形例について、図８を用いて説明する。第１実施形態における動画再生においては、タッチした場合には、直ちに静止画を記録していたが、第２実施形態においては、図６のステップＳ１２３〜Ｓ１２７と同様に、タッチでは静止画の生成のみとし、指スライドを検知した場合に、静止画を記録するようにしている。
【００６９】
この変形例の構成は、図１に示した構成と略同様であるが、表示部８ｂの前面に第２のタッチパネルを設け、この第２のタッチパネルの検知信号はカメラ本体１０ａ内の画像処理及び制御部１に送るための信号線を設ける。
【００７０】
なお、本発明の第１実施形態において、タッチパネル６ｂをカメラ本体１０ａ側の表示部８ａの前面に設けたのは、スライド部１０ｂを開いた際に、表示部８ａをタッチしても、カメラ１０をしっかり保持できるためであった。この点、スライド部１０ｂの表示部８ｂの前面に第２のタッチパネルを設け、これをタッチした場合には、タッチパネル６ｂの場合に比較し、カメラ１０が多少振れる可能性がある。しかし、本変形例において、第２のタッチパネルが機能するのは、再生時であり、この場合には、撮影を行っていないことから、多少の振れは許容される。
【００７１】
図８に示す動画再生のフローチャートの内、ステップＳ１５１〜Ｓ１５９は、図７に示した第１実施形態と同様であるので、詳しい説明は省略する。ステップＳ１５７において、動画が表示されている表示部８ｂがタッチされたか否かの判定を行う（Ｓ１５７）。ここでは、表示部８ｂの前面に設けられた第２のタッチパネルのタッチ状態を検知する。この判定の結果、タッチされた場合には、次に、第２画面（表示部８ｂ）の画像を停止する（Ｓ１６１）。すなわち、表示部８ｂに表示した動画を停止し、静止画で表示する。これによって、ユーザは動画で停止した画像が意図する画像であったか否かを確認することができる。
【００７２】
第２画面の画像を停止すると、次に、指スライドが行われたか否かを判定する（Ｓ１６２）。ここでは、第２のタッチパネルからの信号に基づいて判定する。この判定の結果、指等によってスライドされていた場合には、次に、静止画像取得し、第１画面（表示部８ａ）にインデックス表示する（Ｓ１６３）。カメラ本体１０ａ側の表示部８ａに画像が移動することから、ユーザは静止画として記録されたか否かを確認できる。続いて、動画と関連付けて、撮影日時情報と共に静止画を記録部４に記録する（Ｓ１６４）。
【００７３】
ステップＳ１６４において、静止画を記録すると、またはステップＳ１６２における判定の結果、指スライドがなかった場合には、動画表示の再開を行う（Ｓ１６５）。動画表示を再開すると、ステップＳ１５２に戻る。
【００７４】
このように、本発明の第１実施形態における変形例においては、動画再生時においても、タッチで動画を固定し静止画を生成し、指スライドで静止画を記録している。このため、一旦、静止画像を確認してから記録を行うことができる。記録された静止画は、インデックスとして使用することができ、また、静止画として再生表示したり、プリントして鑑賞することもできる。
【００７５】
なお、本発明の実施形態および変形例においては、表示部８ａを動画用とし、表示部８ｂを静止画用としたが、逆にしても勿論かまわない。
【００７６】
次に、本発明の第２実施形態について、図９ないし図１１を用いて説明する。第１実施形態においては、カメラ本体１０ａとスライド部１０ｂにそれぞれ、表示部８ａと表示部８ｂを設け、それぞれの表示部を静止画用と動画用に機能分担していた。第２実施形態においては、１つの表示部のみとし、動画モードの際に、タッチすることにより、静止画生成し、タッチした指等をスライドすることにより、静止画を縮小画像で表示すると共に記録するようにしている。
【００７７】
本実施形態の構成は、スライド部１０ｂを省略した点を除けば、第１実施形態と同様である。また、本実施形態においては、図６に示したカメラ制御のフローを図１０に示すカメラ制御のフローに置き換えている。第１実施形態と重複する点は省略し、異なる点を中心に説明する。
【００７８】
図１０に示すカメラ制御のフローを説明する前に、本実施形態におけるカメラの使用状態を、図９を用いて説明する。カメラ１０を動画撮影モードに設定すると、図９（ａ）に示すように、カメラ本体１０ａの背面に配置された表示部８ａに動画が表示される。この状態で、指等によって表示部８ａをタッチすると、図９（ｂ）に示すように、動画が固定され、静止画が表示される。
【００７９】
さらに、指等をスライドさせると、図９（ｃ）に示すように、サムネイル８ａａが表示され、また同時に動画表示を再開する。すなわち、図９（ｃ）のときの表示部８ａには、図９（ｄ）に示すように、動画が再開して表示される。また、図９（ｂ）のタイミングで停止された動画を縮小した静止画がサムネイル８ａａに表示される。このサムネイル８ａａを指等によってタッチして動かすと、例えば、図９（ｅ）に示すように、ユーザの意図する位置に移動させることができる。
【００８０】
次に、図１０に示すフローチャートを用いてカメラ制御の動作を説明する。カメラ制御のフローは、電池が装填されるとスタートし、まず電源がオンか否かの判定を行う（Ｓ２００）。ここではパワースイッチがオンとなっているか否かの判定を行う。この判定の結果、オンとなっていなかった場合には、電源オフとする。なお、電源オフとなっても、パワースイッチの状態を検知しており、パワースイッチがオンとなると、ステップＳ２００から動作を再開する。
【００８１】
ステップＳ２００における判定の結果、電源がオンであった場合には、次に、撮影モードか否かの判定を行う（Ｓ２０１）。この判定の結果、撮影モードであった場合には、次にライブビュー表示を行う（Ｓ２０２）。ライブビュー表示は、撮像部２からの画像信号に基づいて表示部８ａに被写体像を動画で表示する。
【００８２】
ライブビュー表示を行うと、次に、画面タッチか否かの判定を行う（Ｓ２０３）。ここでは、タッチパネル６ｂからの検知信号に基づいて撮影者が表示部８ａの表示面をタッチしたか否かを判定する。この判定の結果、画面をタッチしていた場合には、画像を静止させる（Ｓ２１１）。ここでは、ライブビュー表示、すなわち、観察用に被写体像を動画で表示していた際に、タッチされたことから、この動画像を固定し、静止画を生成する。撮影者はこの静止画を見て、意図した通りか否かについて確認できる。
【００８３】
画像を静止すると、次に、指等をスライドさせたか否かの判定を行う（Ｓ２１２）。ここでは、タッチパネル６ｂからの検知信号に基づいて判定する。この判定の結果、指スライドがあった場合には、撮影日時情報と共に静止画を記録する（Ｓ２１３）。この記録を行うと、またはステップＳ２１２における判定の結果、指スライドでなかった場合には、ステップＳ２００に戻る。したがって、ステップＳ２０３において画面タッチされた場合には、画像を静止させ、さらに指スライドがあれば、静止画を記録し、一方、指スライドがなされなかった場合には、静止画の記録を行わない。
【００８４】
ステップＳ２０３における判定の結果、画面タッチしていなかった場合には、動画撮影か否かの判定を行う（Ｓ２０４）。ここでは、レリーズ釦６ａが操作されてか否かの判定を行う（Ｓ２０４）。第１実施形態と同様、レリーズ釦６ａが操作されると動画の撮影を開始し、再度レリーズ釦６ａが操作されると動画の撮影を終了する。
【００８５】
この判定の結果、動画撮影の場合には、動画撮影を行う（Ｓ２０５）。この動画撮影では、撮像部２からの画像データに基づいて、動画を表示すると共にその動画を記録部４に記録する。また、動画撮影中に表示部８ａがタッチされると動画を固定し静止画を生成して表示する。そしてタッチしている指等をスライドさせると、そのときの静止画を記録すると共にサムネイル８ａａに縮小画像として表示する。この動画撮影のサブルーチンについては、図１１を用いて後述する。動画撮影を行うと、ステップＳ２０４に戻り、撮影中である限り、動画撮影を続行する。
【００８６】
ステップＳ２０４における判定の結果、動画撮影でなかった場合、すなわち、動画撮影を終了する場合には、撮影を終了して動画の記録を行う（Ｓ２０６）。この処理を終えると、ステップＳ２００に戻る。
【００８７】
ステップＳ２０１における判定の結果、撮影モードでなかった場合には、次に、再生モードか否かの判定を行う（Ｓ２２１）。ここでは、再生釦等の操作釦によって再生モードに設定されたか否かの判定を行う。この判定の結果、再生モードでなかった場合には、ステップＳ２００に戻る。一方、ステップＳ２２１における判定の結果、再生モードであった場合には、再生表示を行う（Ｓ２２２）。ここでは、記録部４に記録されている静止画や動画の再生を行う。再生表示を行うと、ステップＳ２００に戻る。
【００８８】
次に、ステップＳ２０５における動画撮影のサブルーチンについて、図１１を用いて説明する。動画撮影のフローに入ると、まず、動画撮影結果の表示を行う（Ｓ２５１）。ここでは、撮像部２からの画像データに基づいて、記録される動画を表示部８ａに表示する。続いて、動画部がタッチされたか否かの判定を行う（Ｓ２５２）。動画部は、表示部８ａの画面の内、サムネイル８ａａが表示されている部分以外である。このステップでは、タッチパネル６ｂからの検知信号に基づいて、動画部をタッチしたか否かを判定する。
【００８９】
ステップＳ２５２における判定の結果、動画部がタッチされていた場合には、画像を静止する（Ｓ２５３）。ここでは、動画を固定して静止画を生成し、表示部８ａに表示する。続いて、指等がスライドしているか否かの判定を行う（Ｓ２５４）。ここでは、タッチした指等がそのままスライドしているか否かを判定する。この判定の結果、指スライドしていた場合には、次に、スライド後の位置を判定する（Ｓ２５５）。ここでは、タッチパネル６ｂからの検知信号に基づいてスライド後の位置を判定する。
【００９０】
スライド後の位置判定を行うと、続いて、スライド後の位置に静止画を表示し、静止画を記録する（Ｓ２５６）。ここでは、ステップＳ２５３において生成された静止画を指スライドで指定された最終位置に移動させ、そこに表示する。また、記録部４に静止画を記録する。
【００９１】
ステップＳ２５６において、静止画の表示と記録を行うと、またはステップＳ２５４における判定の結果、指スライドを行っていなかった場合には、元のフローに戻る。
【００９２】
ステップＳ２５２における判定の結果、動画部タッチでなかった場合には、次に、サムネイル部がタッチされたか否かの判定を行う（Ｓ２６１）。ここでは、タッチパネル６ｂの検知信号に基づいて、サムネイル８ａａの部分を指等でタッチしたか否かを判定する。この判定の結果、タッチしていた場合には、次に、指スライドがあるか否かの判定を行う（Ｓ２６２）。ここでは、タッチパネル６ｂの検知信号に基づいて、タッチした位置から移動しているか、すなわち、指等をスライドしているか否かの判定を行う。
【００９３】
ステップＳ２６２における判定の結果、指スライドしていた場合には、次に、スライド後の位置を判定する（Ｓ２６３）。すなわち、ここでは、スライドが終了した時点における位置を判定する。続いて、スライド後の位置にサムネイル８ａａを移動させる（Ｓ２６４）。図９（ｅ）を用いて前述したように、サムネイル８ａａａはタッチしながらスライドすることにより、サムネイル８ａａの表示位置を移動させることができる。
【００９４】
ステップＳ２６４におけるサムネイル８ａａの移動を行うと、またはステップＳ２６１における判定の結果、サムネイル部がタッチされていなかった場合、または指スライドをしていなかった場合には、動画撮影のフローを終了して、元のフローに戻る。
【００９５】
このように、本発明の第２実施形態においては、表示部８ａに動画を表示し、この動画の表示画面をタッチすると、静止画を生成しその画面にそのままのサイズで表示している。そして、タッチした状態で指スライドを行うと、静止画を縮小しサムネイル８ａａで表示すると共に静止画の記録を行うようにしている。このため、動画から静止画を取得し、その静止画を確認後、そのまま指等をスライドするだけで静止画の記録を行うことができる。瞬時に静止画を切り出し、そのまま記録できることから、迅速に静止画を得ることができる。
【００９６】
また、本実施形態においては、サムネイル８ａａの表示位置を、指スライドにより簡単に移動させることができる。このため、動画表示の際、主被写体が表示されている位置に重複しないように位置変更することができ便利である。
【００９７】
なお、本実施形態においては、サムネイル８ａａは１つしか示さなかったが、静止画が複数記録される場合には、サムネイル８ａａも複数表示するようにしても良い。また、本実施形態においては、動画撮影時に、タッチ及び指スライドによる静止画の表示と記録を行っていたが、これに限らず、動画再生時に行うようにしても良い。
【００９８】
以上説明したように、本発明の各実施形態や変形例においては、動画を表示している際に、タッチすると静止画を生成し、表示するようにしている。このため、瞬時に静止画を得ることができ、シャッタチャンスを逃すおそれが少なくなる。また、本発明の各実施形態や変形例においては、静止画を生成すると、この静止画を表示するようにしているので、静止画を確認することができる。このため、撮影者の意図に沿わない画像であった場合には、撮り直すことができる。さらに、本発明の各実施形態や変形例においては、タッチによって静止画を表示した後、さらにタッチしている指等をそのままスライドすることにより、静止画を記録している。このため、静止画の記録を簡単に行うことができる。タッチから指スライドまでの一連の動きによって、静止画取得、表示、確認、記録を迅速に行うことができる。
【００９９】
なお、本発明の各実施形態および変形例においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。いずれにしても、動画と静止画の切り換えが可能な機器であれば、本発明を適用することができる。
【０１００】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１０１】
１・・・画像処理及び制御部、２・・・撮像部、２ａ・・・撮影レンズ、３・・・表示制御部、４・・・記録部、５・・・ストロボ部、６・・・操作判定部、６ａ・・・レリーズ釦、６ｂ・・・タッチパネル、７・・・動き判定部、７ａ・・・磁気センサ、７ｂ・・・磁気センサ、７ｃ・・・磁石、８ａ・・・表示部、８ａａ・・・サムネイル、８ｂ・・・表示部、８ｂａ・・・インデックス、９・・・時計部、１０・・・カメラ、１０ａ・・・カメラ本体、１０ｂ・・・スライド部、１０ｃ・・・第２表示体、１１・・・レール、１２・・・溝部
【図１】
2010206367.tif 000003
【図２】
2010206367.tif 000004
【図３】
2010206367.tif 000005
【図４】
2010206367.tif 000006
【図５】
2010206367.tif 000007
【図６】
2010206367.tif 000008
【図７】
2010206367.tif 000009
【図８】
2010206367.tif 000010
【図９】
2010206367.tif 000011
【図１０】
2010206367.tif 000012
【図１１】
2010206367.tif 000013